(57)【要約】【課題】バッグやカート、あるいは家庭やキャンプ地における適宜の突起物等に吊り下げて使用するのに適した薬剤揮散用器具を提供する。【解決手段】器具本体内に収容した防虫成分を含浸させた基体を電動モータで回転させて防虫成分を外部に揮散させる薬剤揮散用器具。回動自在のリング部材３０と、リング部材に巻付け固定されるとともに、一部４０ａが器具本体外に露出するストラップ４０とを備える。外部に露出したストラップの一部４０ａを引っ張ると、巻きが解けて、ストラップ４０の器具本体外への引出し長さが増加する。リング部材３０に固定された回動操作部３２が器具本体外に露出していて、この回動操作部３２を操作することで、引き出されたストラップをリング部材３０上に巻き取ることができる。【選択図】図３
2008271853.tif 000002
【特許請求の範囲】
【請求項１】
防虫成分を含浸させた基体と、電源（２６）と、電動モータ（１８）とが器具本体内に収容されていて、電動モータで基体を回転させて防虫成分を外部に揮散させる薬剤揮散用器具であって、
回動自在のリング部材（３０）と、当該リング部材に巻付け固定されるとともに、一部（４０ａ）が器具本体外に露出するストラップ（４０）とを備え、
外部に露出したストラップの一部（４０ａ）を引っ張ると、巻きが解けて、ストラップ（４０）の器具本体外への引出し長さが増加し、
リング部材（３０）に固定された回動操作部（３２）が器具本体外に露出していて、当該回動操作部（３２）を操作することで、引き出されたストラップをリング部材（３０）上に巻き取るよう構成したことを特徴とする、薬剤揮散用器具。
【請求項２】
上記リング部材（３０）の回動軸（Ａ）と直交する回動側面（３３）が、器具本体の内壁面（６３）に圧接されており、
上記回動側面（３３）には当該リング部材（３０）とともに回動する回動突部（３４）が、上記内壁面（６３）には同リング部材（３０）に対して不動の静止突部（６４）が、それぞれ、設けられていて、
リング部材（３０）が一定量回動する毎に、回動突部（３４）が静止突部（６４）を乗り越えることに起因したクリック感を与えることを特徴とする、請求項１記載の薬剤揮散用器具。
【発明の詳細な説明】
【技術分野】
【０００１】
本発明は、バッグやカート等に吊り下げて使用する薬剤揮散用器具に関する。
【背景技術】
【０００２】
ベルトに取り付けて使用する携帯用の薬剤揮散用器具が従来から知られており、例えば、特許文献１および特許文献２に開示されたものがある。
これらの薬剤揮散用器具は、防虫成分を含浸させた基体を内部に収容している。器具本体には、乾電池で駆動されるモータが内蔵されていて、これによって基体を回転させ、防虫成分を揮散させる。
【０００３】
【特許文献１】特開２００１−１９７８５６号公報
【特許文献２】特開２００３−１０２３６１号公報
【発明の開示】
【発明が解決しようとする課題】
【０００４】
上記の薬剤揮散用器具は、いずれも、器具本体に設けたフック部を利用してベルトに固定される。これらの薬剤揮散用器具を、例えばカバンやカート等に吊り下げて使用する場合には、適宜の紐部材あるいはストラップを器具本体に固定することになるが、最初からそのような使用形態を意図したものは知られていない。
したがって、本発明は、バッグやカート等に吊り下げて使用するのに適した薬剤揮散用器具を提供することを目的とする。
【課題を解決するための手段】
【０００５】
本発明の薬剤揮散用器具は、防虫成分を含浸させた基体と、電源と、電動モータとが器具本体内に収容されていて、電動モータで基体を回転させて防虫成分を外部に揮散させるものである。そして、「回動自在のリング部材」と「当該リング部材に巻付け固定されるとともに、一部が器具本体外に露出するストラップ」とを備える。
外部に露出したストラップの一部を引っ張ると、巻きが解けて、ストラップの器具本体外への引出し長さが増加する。一方、リング部材に固定された回動操作部が器具本体外に露出していて、当該回動操作部を操作することで、引き出されたストラップをリング部材上に巻き取ることができる。
【発明の効果】
【０００６】
上記構成を有する本発明の薬剤揮散用器具は、吊下げ用のストラップを内蔵している。そして、当該薬剤揮散用器具をカバンやカート、あるいは家庭やキャンプ地における適宜の突起物等に吊り下げて使用する場合に、吊下げ用ストラップの長さを適宜調節できる。つまり、使用状況等に応じて、吊下げ長さをワンタッチで簡単に変更することができ、多様な状況下で汎用的に使用する上で極めて都合がよい。
【０００７】
本発明の薬剤揮散用器具においては、リング部材の回動軸と直交する回動側面が、器具本体の内壁面に圧接されており、回動側面には「当該リング部材とともに回動する回動突部」が、内壁面には「同リング部材に対して不動の静止突部」が、それぞれ、設けられていることが好ましい。
このように構成すると、リング部材が一定量回動する毎に、回動突部が静止突部を乗り越えることに起因したクリック感が与えられ、操作感を高めることができる。
【発明を実施するための最良の形態】
【０００８】
本発明の実施形態を添付の図面を参照して、以下に詳細に説明する。図１は、一実施形態に係る薬剤揮散用器具１を示す正面図である。図２は、その前方分解斜視図である。
【０００９】
≪薬剤揮散用器具１の概要≫
薬剤揮散用器具１は、防虫成分を含浸させた基体（図示せず）を内部に収容している。乾電池２６で駆動される電動モータ１８が器具本体に内蔵されていて、これによって基体を回転させ、防虫成分を揮散させる。
操作スイッチ１３をＯＮ位置にすると、電動モータ１８が回転して防虫成分を揮散させる。また、ランプ１４が点灯して、作動中であることを表示する。
なお、乾電池２６以外にも、ソーラー電池等、適宜の電源を使用することができる。
【００１０】
薬剤揮散用器具１は、長さ調節可能なストラップ４０を内蔵しており、このストラップを利用して、例えば、バックやカート等に吊り下げて携帯したり、家庭やキャンプ地等において、適当な突起物に吊り下げて使用することができる。
【００１１】
ストラップ４０は、その一部４０ａが器具本体外に露出しているが、後に説明するように、この露出した部分４０ａを引き出して、長さを適宜調節することができる。また、露出した部分４０ａには円柱体４５が固定されていて、使用者は、ストラップを引き出すときにこれを掴むと、操作がし易い。
【００１２】
≪内部構造の説明（分解斜視図）≫
図２の分解斜視図を参照して、薬剤揮散用器具１の内部構造を説明する。ベースプレート１０の前方側には、ヒンジ固定部１１ａを介して、前方カバー１１が固定される。ベースプレート１０と前方カバー１１との間に、防虫成分を含浸させた基体（図示せず）が配置される。この基体は、電動モータ１８の出力軸１８ａに連結されて回転し、防虫成分を外部へと揮散させる。
前方カバー１１は、ヒンジ固定部１１ａを中心として回動させて開けることができ、そのようにして、防虫成分を含浸させた基体を交換することができる。
【００１３】
前方カバー１１の下方位置には円形の開口１２ａが設けられていて、前カバー１１を閉じたとき、ベースプレート１０の下方位置に形成したドーム状の隆起部１２が、この開口１２ａ内に納まる。
ドーム状の隆起部１２には、操作スイッチ１３およびランプ１４が配置される。
【００１４】
ベースプレート１０の後方側には、電池収容部２０が配置される。電池収容部２０は、図３の後方斜視図に示したように、乾電池２６を収容する凹部２６ａを有する。なお、図３は、図２中の電池収容部２０よりも右側の部分のみを取り出して図示する部分斜視図である。
凹部２６ａに乾電池２６を入れた後、電池蓋５０で封止する。
【００１５】
電池収容部２０と一体的に構成されて上方に張り出した円板状部分２１は、その中央位置に円筒部分２５を備えている。円筒部分２５は、電動モータ１８を収容する収容部であるとともに、リング部材３０を回動可能に支持する回動台として機能する。
電動モータ１８は、円筒部分２５の裏側に存在する凹状の収容空間２５ａ内に保持される（図２）。
また、リング部材３０は、その裏側の凹状空間３０ａ（図２）内に円筒部分２５を受け入れるようにして、当該円筒部分２５上に回動可能に支持される。このとき、円筒部分２５とリング部材３０との間には、板バネ２３を備えた円板２２が挟み込まれるが、その機能については後述する。
【００１６】
リング部材３０の周囲には、ストラップ４０が巻き付けられている。ストラップ４０は、一本のストラップを中間点である折返部４１において２つ折りにするとともに、ストラップ両端に固定した円柱体４５ａ、４５ｂを連結してなる。
ストラップ４０は、折返部４１を突起３１に固定した上で、リング部材３０の周囲に巻き付けられ、裏カバー６０に設けたスリット６５を通して、外部に引き出される。なお、図３中にはスリット６５は１つしか現れないが、図２に示したように、スリット６５は裏カバー６５の両側に存在する。図１中、参照数字４０ａは、器具外部に露出したストラップ４０の一部分を示している。
【００１７】
≪ストラップの長さ調節機構≫
ストラップ４０は、円柱体４５を掴んで引っ張る（すなわち、露出したストラップの一部４０ａを引っ張る）ことで、器具本体内から引き出すことができる。また、回動操作部３２（図３）を摘んでリング部材３０を、引出しとは逆方向に回動させることで、ストラップ４０を器具本体内に収容することができる。
【００１８】
回動操作部３２は、リング部材３０の片方の側面を塞ぐようにして固定された円板状の部材に立設された湾曲板状の突出部で構成されており、図３から分かるように、組立後においては、裏カバー６０の中央開口６１を通して外部に露出する。
なお、回動操作部３２の具体的な形態は、図示のものに限定されず、適宜のものを採用できる。
【００１９】
≪クリック感を与える機構≫
薬剤揮散用器具１は、ストラップ４０を引き出すとき、および回動操作部３２を操作してストラップ４０を巻き取るときに、リング部材３０が一定量回動する毎に、カチッ、カチッというクリック感を与えて操作性を高める機構を備えている。これについて、次に説明する。
【００２０】
図３において、軸線“Ａ”は、リング部材３０の回動軸を示している。すなわち、リング部材３０は、軸線“Ａ”を中心として回動する。回動操作部３２の周囲には、フランジの如き環状領域（回動側面）３３がリング部材３０とともに一体的に形成されている。環状領域（回動側面）３３の表面は、回動軸“Ａ”と直交する平面内に位置している。
この環状領域（回動側面）３３の表面には複数の突部３４が形成されている。これらの突部３４は、リング部材３０とともに一体となって回動するので「回動突部３４」と呼ぶ。一方、裏カバー６０の内壁面６３に形成した突部６４（図２）は、リング部材３０が回動するとき、当該リング部材３０に対して不動であるため「静止突部６４」と呼ぶ。
【００２１】
静止突部６４は、裏カバー６０の内壁面６３上において、中央開口６１の周辺に配置されている。
一方、円筒部分２５とリング部材３０との間には、板バネ２３を備えた円板２２が挟み込まれている。この板バネ２３により、リング部材３０は、裏カバー６０側へ向けて付勢されている。
その結果、回動操作部３２が裏カバー６０の中央開口６１を通して外部に露出するとともに、回動操作部３２の周囲に位置する環状領域（回動側面）３３は、中央開口６１周辺の内壁面６３に圧接することとなる。すなわち、裏カバー６０の内壁面６３上において中央開口６１の周辺に配置された静止突部６４は、環状領域（回動側面）３３と圧接する領域に位置している。
【００２２】
したがって、リング部材３０が回動するとき、環状領域（回動側面）３３は、静止突部６４を含む中央開口６１の周辺領域と圧接しながら回動することとなる。そのため、リング部材（３０）が一定量回動する毎に、回動突部３４が静止突部６４を乗り越えることとなり、これに起因して、カチッ、カチッ、というクリック感が得られる。
【００２３】
図示の例では、回動突部３４は、環状領域（回動側面）３３上に、一定間隔を置いて離散的に複数形成されており、静止突部６４は、裏カバー６０の内壁面６３上、中央開口６１の周辺領域に１８０°対向して２つ形成されている。
本発明において、回動突部３４および静止突部６４の個数は特に限定されることなく、適宜設定することができる。両者の数の組み合わせにより、カチッ、カチッ、というクリック感のサイクルを適宜設定することができる。
【００２４】
また、リング部材３０を裏カバー６０側へ向けて付勢する手段として、板バネ２３を備えた円板２２以外にも、コイルスプリング等の適宜の手段を採用することが可能である。
【図面の簡単な説明】
【００２５】
【図１】本発明の一実施形態に係る薬剤揮散用器具を示す正面図。
【図２】図１の薬剤揮散用器具の前方分解斜視図。
【図３】図１の薬剤揮散用器具の後方分解斜視図。
【符号の説明】
【００２６】
１  薬剤揮散用器具
１０  ベースプレート
１１  前カバー
１１ａ  ヒンジ固定部
１２  隆起部
１２ａ  開口
１３  操作スイッチ
１４  ランプ
１８  電動モータ
１８ａ  出力軸
２０  電池収容部
２１  円板状部分
２２  円板
２３  板バネ
２５  円筒部分
２６  乾電池
２６ａ  凹部
３０  リング部材
３１  突起
３２  回動操作部
３３  環状領域（回動側面）
３４  回動突部
４０  ストラップ
４０ａ  露出したストラップ部分
４１  折返部
４５、４５ａ、４５ｂ  円筒体
５０  電池蓋
６０  裏カバー
６１  中央開口
６３  内壁面
６４  静止突部
６５  スロット
【図１】
2008271853.tif 000003
【図２】
2008271853.tif 000004
【図３】
2008271853.tif 000005